(57)【要約】【課題】包装硬貨払出装置への包装硬貨の補充を大幅に不足なく行うことができるようにするとともに、作業ミスの防止と作業性の向上を図る。【解決手段】棒金両替機１０は、棒金３２への両替処理を行う毎に、在高更新部１０ａにより、棒金３２を収納する複数のトレイの各々の在高（現在の金種と本数）を更新し、在高情報通知部１０ｂにより、そのトレイ毎の在高を在高情報Ｄ１として現金管理サーバ７０に通知している。在高情報Ｄ１は、現金管理サーバ７０からネットワーク端末装置８０に送られ、ディスプレイ８２に表示される。端末装置８０の操作者は、ディスプレイ８２に表示された在高情報Ｄ１から棒金の補充が必要なトレイ３０を表す集配情報Ｄ２を決定し、入力部８３を操作することでその集配情報Ｄ２をコンピュータ本体８１に入力し、その集配情報Ｄ２を現金管理サーバ７０を介して棒金両替機１０に通知する。【選択図】図１
2008191835.tif 000002
【特許請求の範囲】
【請求項１】
所定枚数の硬貨を金種別に包装した包装硬貨を複数のトレイに収納し、前記複数のトレイの中から選択的に包装硬貨を取り込み、該取り込んだ包装硬貨を払い出す包装硬貨払出装置と、
ネットワークを介して前記包装硬貨払出装置に接続され、前記包装硬貨払出装置における現金量を管理する現金管理装置と
を備える包装硬貨処理システムであって、
前記包装硬貨払出装置は、
前記複数のトレイの各々の在高を記憶するとともに、前記払い出しを行なう毎に、前記在高の更新を行う在高更新手段と、
前記払い出しを行なう毎に、前記在高更新手段により更新されたトレイ毎の在高を示す在高情報を前記現金管理装置に通知する在高情報通知手段と
を備え、
前記現金管理装置は、
前記包装硬貨払出装置から通知された前記在高情報から定められる、包装硬貨の補充が必要なトレイを表す集配情報を前記包装硬貨払出装置に通知する集配情報通知手段
を備え、
前記包装硬貨払出装置は、
作業者による集配作業の開始時を検出する作業開始時検出手段と、
前記作業開始時検出手段により前記集配作業の開始時が検出されたとき、前記現金管理装置から通知された前記集配情報と、前記在高更新手段により更新されたトレイ毎の在高とから、作業者によって実施する集配の作業内容をトレイ別に決定する作業内容決定手段と、
前記作業内容決定手段により決定された作業内容を示す作業内容情報を外部に出力する作業内容出力手段と
を備える包装硬貨処理システム。
【請求項２】
請求項１に記載の包装硬貨処理システムであって、
前記集配情報通知手段は、
前記包装硬貨払出装置から通知された前記在高情報を表示装置に表示する表示手段と、
前記表示手段を見た作業者からの入力指示に従って、前記集配情報を前記通知用として記憶手段に記憶する入力・記憶手段と、
を備える包装硬貨処理システム。
【請求項３】
請求項１または２に記載の包装硬貨処理システムであって、
前記作業内容出力手段は、
前記作業内容情報を印刷媒体に印刷する印刷手段
を備える包装硬貨処理システム。
【請求項４】
請求項１ないし３のいずれかに記載の包装硬貨処理システムであって、
前記現金管理装置は、
前記包装硬貨払出装置と第１のネットワークを介して接続されるサーバと、
前記サーバと第２のネットワークを介して接続され、前記包装硬貨が収納された前記トレイを準備する場所に載置されたネットワーク端末装置と
により構成される包装硬貨処理システム。
【請求項５】
所定枚数の硬貨を金種別に包装した包装硬貨を複数のトレイに収納し、前記複数のトレイの中から選択的に包装硬貨を取り込み、該取り込んだ包装硬貨を払い出すとともに、現金管理装置にネットワークを介して接続される包装硬貨払出装置であって、
前記複数のトレイの各々の在高を記憶するとともに、前記払い出しを行なう毎に、前記在高の更新を行う在高更新手段と、
前記払い出しを行なう毎に、前記在高更新手段により更新されたトレイ毎の在高を示す在高情報を前記現金管理装置に通知する在高情報通知手段と、
前記現金管理装置により前記在高情報から定められる、包装硬貨の補充が必要なトレイを表す集配情報を、前記現金管理装置から受け取る集配情報受取手段と、
作業者による集配作業の開始時を検出する作業開始時検出手段と、
前記作業開始時検出手段により前記集配作業の開始時が検出されたとき、前記集配情報受取手段により受け取った集配情報と、前記在高更新手段により更新されたトレイ毎の在高とから、作業者によって実施する集配の作業内容をトレイ別に決定する作業内容決定手段と、
前記作業内容決定手段により決定された作業内容を示す作業内容情報を外部に出力する作業内容出力手段と
を備える包装硬貨払出装置。
【請求項６】
請求項５に記載の包装硬貨払出装置であって、
前記作業内容出力手段は、
前記作業内容情報を印刷媒体に印刷する印刷手段
を備える包装硬貨払出装置。
【発明の詳細な説明】
【技術分野】
【０００１】
本発明は、包装硬貨の払い出しを行なう包装硬貨払出装置と、該包装硬貨払出装置を備える包装硬貨処理システムとに関する。
【背景技術】
【０００２】
従来、貨幣を金種別に包装された包装硬貨へ両替する両替機が知られている（例えば、特許文献１）。両替機は、コンビニエンスストアや複数のテナント店を擁するショッピングセンタ等に設置される（以下、この設置場所を以下「店舗」と呼ぶ）。両替機への現金の集配、すなわち、紙幣を回収して、包装硬貨を補充することは、センタから派遣された作業者により行われる。ここでセンタとは、店舗から離れた場所であり、両替機の管理元である。作業者は、センタから包装硬貨を両替機に運搬した上で、両替機の内部を開けて、包装硬貨の現在の本数（金種別の本数）を現物確認し、繰り出された包装硬貨分をその運搬してきた現金量で補充する。
【０００３】
【特許文献１】特開平７−２７２０４８号公報
【０００４】
しかしながら、前記従来の技術によれば、集配の為に作業者が準備した現金量と、集配の時点で両替機に補充するべき包装硬貨量とが大きく乖離していることが多く、包装硬貨量が大幅に不足する問題があった。包装硬貨量の大幅な不足を回避するためには、予め多くの包装硬貨を準備すればよいが、それでは、現金運用効率の低下や運搬コストの増加を招いてしまう。
また、前記従来の技術によれば、現場である店舗で補充量を作業者が勘案する必要があることから、作業ミスの発生や作業性の悪化という問題があった。
【発明の開示】
【発明が解決しようとする課題】
【０００５】
本発明は、上記の問題点に鑑みてなされたもので、包装硬貨払出装置への包装硬貨の補充を大幅に不足なく行うことができるようにするとともに、作業ミスの防止と作業性の向上を図ることを課題の一つとしている。
【課題を解決するための手段】
【０００６】
前述した課題の少なくとも一部を解決するための手段として、以下に示す構成をとった。
【０００７】
本発明の包装硬貨処理システムは、
所定枚数の硬貨を金種別に包装した包装硬貨を複数のトレイに収納し、前記複数のトレイの中から選択的に包装硬貨を取り込み、該取り込んだ包装硬貨を払い出す包装硬貨払出装置と、
ネットワークを介して前記包装硬貨払出装置に接続され、前記包装硬貨払出装置における現金量を管理する現金管理装置と
を備える包装硬貨処理システムであって、
前記包装硬貨払出装置は、
前記複数のトレイの各々の在高を記憶するとともに、前記払い出しを行なう毎に、前記在高の更新を行う在高更新手段と、
前記払い出しを行なう毎に、前記在高更新手段により更新されたトレイ毎の在高を示す在高情報を前記現金管理装置に通知する在高情報通知手段と
を備え、
前記現金管理装置は、
前記包装硬貨払出装置から通知された前記在高情報から定められる、包装硬貨の補充が必要なトレイを表す集配情報を前記包装硬貨払出装置に通知する集配情報通知手段
を備え、
前記包装硬貨払出装置は、
作業者による集配作業の開始時を検出する作業開始時検出手段と、
前記作業開始時検出手段により前記集配作業の開始時が検出されたとき、前記現金管理装置から通知された前記集配情報と、前記在高更新手段により更新されたトレイ毎の在高とから、作業者によって実施する集配の作業内容をトレイ別に決定する作業内容決定手段と、
前記作業内容決定手段により決定された作業内容を示す作業内容情報を外部に出力する作業内容出力手段と
を備えることを要旨としている。
【０００８】
前記構成の包装硬貨処理システムによれば、包装硬貨払出装置におけるトレイ毎の最新の在高を示す在高情報が、包装硬貨払出装置から現金管理装置に通知される。現金管理装置は、その通知された在高情報から定まる集配情報を包装硬貨払出装置に通知する。包装硬貨払出装置は、作業者による集配作業の開始時が検出されたときに、前記現金管理装置から通知された前記集配情報と、その時点の最新のトレイ毎の在高とから、作業者によって実施する集配の作業内容をトレイ別に決定し、その決定された作業内容を示す作業内容情報を外部に出力する。
【０００９】
このために、作業者は、現金管理装置の設置場所で包装硬貨を準備するに際し、その時点での最新の在高に応じて集配情報を決定することができる。さらに、作業者が現金管理装置の設置場所から現金管理装置の設置場所まで包装硬貨を運搬する際に、包装硬貨払出装置に備えられるトレイ毎の在高は変動しているが、包装硬貨払出装置においては、作業者により集配作業が開始された時点の最新の在高を前記集配情報に加味して集配の作業内容を決定し、その作業内容を示す作業内容情報を出力することができる。
【００１０】
したがって、本願発明の包装硬貨処理システムによれば、包装硬貨を準備する時点で最適な包装硬貨量を準備することができる。また、その準備した時点からの変動量を含む最新の在高に基づいて集配の作業内容を作業内容情報として作業者に対して指示することができることから、補充作業時における作業ミスの発生を防止するとともに作業性の向上を図ることができる。
【００１１】
前記集配情報通知手段は、前記包装硬貨払出装置から通知された前記在高情報を表示装置に表示する表示手段と、前記表示手段を見た作業者からの入力指示に従って、前記集配情報を前記通知用として記憶手段に記憶する入力・記憶手段とを備える構成としてもよい。この構成によれば、作業者の判断によって集配情報を決定することができることから、集配情報の決定についての自由度が高い。
【００１２】
前記作業内容出力手段は、前記作業内容情報を印刷媒体に印刷する印刷手段を備える構成としてもよい。この構成によれば、作業者は印刷された印刷媒体を見て集配作業を行うことができることから、作業性により優れている。
【００１３】
前記現金管理装置は、前記包装硬貨払出装置と第１のネットワークを介して接続されるサーバと、前記サーバと第２のネットワークを介して接続され、前記包装硬貨が収納された前記トレイを準備する場所に載置されたネットワーク端末装置とにより構成してもよい。この構成によれば、サーバにより包装硬貨払出装置における現金を管理し、ネットワーク端末装置の設置場所で現金を準備する等、種々のバリエーションにて現金管理装置を構成することができることから、汎用性に優れている。
【００１４】
本発明の包装硬貨払出装置は、
所定枚数の硬貨を金種別に包装した包装硬貨を複数のトレイに収納し、前記複数のトレイの中から選択的に包装硬貨を取り込み、該取り込んだ包装硬貨を払い出すとともに、現金管理装置にネットワークを介して接続される包装硬貨払出装置であって、
前記複数のトレイの各々の在高を記憶するとともに、前記払い出しを行なう毎に、前記在高の更新を行う在高更新手段と、
前記払い出しを行なう毎に、前記在高更新手段により更新されたトレイ毎の在高を示す在高情報を前記現金管理装置に通知する在高情報通知手段と、
前記現金管理装置により前記在高情報から定められる、包装硬貨の補充が必要なトレイを表す集配情報を、前記現金管理装置から受け取る集配情報受取手段と、
作業者による集配作業の開始時を検出する作業開始時検出手段と、
前記作業開始時検出手段により前記集配作業の開始時が検出されたとき、前記集配情報受取手段により受け取った集配情報と、前記在高更新手段により更新されたトレイ毎の在高とから、作業者によって実施する集配の作業内容をトレイ別に決定する作業内容決定手段と、
前記作業内容決定手段により決定された作業内容を示す作業内容情報を外部に出力する作業内容出力手段と
を備えることを要旨としている。
【００１５】
上記構成の包装硬貨払出装置によれば、本願発明の包装硬貨処理システムと同様に、包装硬貨払出装置への包装硬貨の補充を大幅に不足なく行うことができるとともに、補充作業時における作業ミスの発生の防止と作業性の向上を図ることができる。
【発明を実施するための最良の形態】
【００１６】
以下、本発明の実施の形態を実施例に基づいて説明する。
１．システム全体の構成：
２．棒金両替機の構成：
３．各装置で実行される処理：
４．作用・効果：
５．他の実施形態：
【００１７】
１．システム全体の構成：
図１は、本発明の一実施例としての包装硬貨処理システム１の全体構成を示す説明図である。図示するように、包装硬貨処理システム１は、前述した店舗に設置される棒金両替機１０と、棒金両替機１０における現金量を管理するセンタに設置される現金管理サーバ７０と、警備・警送会社に設置されるネットワーク端末装置８０とを備える。現金管理サーバ７０と棒金両替機１０との間は、インターネットＶＰＮ９１と、棒金両替機１０が含まれるＬＡＮ９２とにより接続されている。現金管理サーバ７０とネットワーク端末装置８０との間は、インターネットＶＰＮ９３と、棒金両替機１０が含まれるＬＡＮ９４とにより接続されている。インターネットＶＰＮは、インターネットを経由して構築される仮想的なプライベートネットワークで、機密を保持したまま遠隔地のネットワーク同士をＬＡＮで接続しているのと同じように運用することができる。
【００１８】
棒金両替機１０は、本発明の「包装硬貨払出装置」に相当し、入金された貨幣に応じた棒金の払い出しを行う。棒金とは、同一金種の硬貨を所定枚数（例えば５０枚）重ねて紙やビニール等のシートで棒状（円柱状）に包装した包装硬貨である。現金管理サーバ７０は、棒金両替機１０の在高を管理するサーバである。ネットワーク端末装置８０は、インターネットに接続可能なパーソナルコンピュータであり、コンピュータ本体８１とディスプレイ８２とキーボード、マウス等の入力部８３とを備える。現金管理サーバ７０とネットワーク端末装置８０とにより、本発明の「現金管理装置」が構成される。
【００１９】
２．棒金両替機１０の構成：
図２は、棒金両替機１０の概略構成図である。図示するように、棒金両替機１０は、箱形の筺体２０を備え、筺体２０内には、棒金３２を複数本収納するトレイ３０が装填されるワゴン部４０と、ワゴン部４０から棒金３２を取り込む棒金取込部５０とを備える。
【００２０】
図３は、トレイ３０の外観を示す斜視図である。トレイ３０は、上部の大部分が開口した箱体で、複数本の棒金３２を整列状態で収容可能となっている。なお、一のトレイ３０には同一金種の棒金が収容されている。棒金３２の収納本数は、金種毎に相違しており、例えば２０〜２５本である。トレイ３０の前方には、棒金取出口３４が設けられている。棒金３２のトレイ３０への収納は、棒金両替機１０の設置場所から離れた警備・警送会社にて行なわれる。警備・警送会社にて棒金３２が収納されたトレイ３０は、店舗まで搬送され、棒金両替機１０に装填される。
【００２１】
図２に戻って、ワゴン部４０は、複数のトレイ台４２が上下方向に段形状に設けられており、一のトレイ台４２に一のトレイ３０が装填される。トレイ３０はトレイ台４２から着脱可能である。棒金両替機１０の筺体２０の後ろ側、すなわちワゴン部４０側には、トレイ交換用扉２２が設けられており、警送員は、このトレイ交換用扉２２を開いて、ワゴン部４０に装填されるトレイ３０の交換を行う。すなわち、警送員は、払い出しにより減った棒金３２の補充を、トレイ３０単位で交換する。なお、トレイ台４２は水平方向に対して斜めとなっており、トレイ３０はその棒金取出口３４が下方となるように斜めに装填される。
【００２２】
図４は、ワゴン部４０に装填された各トレイ３０に収容された金種の一例を示す説明図である。図示するように、ワゴン部４０の下から１段目から３段目のトレイ台４２に装填された各トレイ３０は５００円、４段目から６段目のトレイ台４２に装填された各トレイ３０は１００円、７段目から１０段目のトレイ台４２に装填された各トレイ３０は１０円、１１段目と１２段目のトレイ台４２に装填された各トレイ３０は１円の棒金３２が収容されている。なお、あくまでもこれは一例であり、各金種のトレイ３０はいずれの段のトレイ台４２にでも装填可能で、ワゴン部４０における金種の構成パターンを自在に変化させることが可能である。なお、一のトレイ３０への棒金３２の収納本数は、前述したように２０〜２５本であるが、図示の都合により少なく描いている。
【００２３】
なお、各トレイ台４２には、装填されたトレイ３０が、棒金３２が１本も入っていない空の状態にあるか、棒金３２が収納可能な最大の本数だけ収納されている満（フル）の状態にあるかを光学的に検出する第１および第２の光学センサ４４，４６が設けられている。
【００２４】
図２に戻って、棒金取込部５０は、図示しないエレベータ構造によって上下方向に昇降可能となっており、ワゴン部４０に装填された複数のトレイ３０の各先端に沿って昇降する。棒金取込部５０は、半回転可能なアーム部５２を備え、このアーム部５２と図示しない棒金転送機構によって、棒金取出口３４に位置する棒金３２を一つずつトレイ３０から取り出すことができる。前述したようにトレイ３０は水平方向に対して斜めに装填されることから、棒金取出口３４から棒金３２が一つ取り出されると、トレイ３０に残った棒金３２は自重により棒金取出口３４側に送られる。このようにして、棒金取込部５０により、棒金３２はトレイ３０から一つずつ取り出されて収容部５４に収容される。その後、棒金３２のトレイ３０からの取り込みを終了すると、棒金取込部５０は、最上位の位置まで移動する。この最上位位置における筺体２０の上面には、棒金３２を払い出すための払出口２６が開口され、この払出口２６にシャッタ２８が設けられている。利用者は、シャッタ２８が開いた払出口２６から収容部５４に収容された棒金３２を取り出すことができる。
【００２５】
３．各装置で実行される処理：
図１に戻って、棒金両替機１０は在高更新部１０ａ、在高情報通知部１０ｂ、作業開始時検出部１０ｃ、作業内容決定部１０ｄおよび作業内容出力部１０ｅを備え、ネットワーク端末装置８０は集配情報通知部８０ａを備える。現金管理サーバ７０は、在高情報Ｄ１を棒金両替機１０からネットワーク端末装置８０に転送し、集配情報Ｄ２をネットワーク端末装置８０から棒金両替機１０に転送する。棒金両替機１０、現金管理サーバ７０およびネットワーク端末装置８０は、上記の各部１０ａ〜１０ｅ、８０ａを作動させて、次のような作業を行う。
【００２６】
棒金両替機１０は、棒金３２の払い出し、すなわち棒金３２への両替処理を行う毎に、在高更新部１０ａにより、棒金３２を収納する複数のトレイの各々の在高（現在の金種と本数）を更新し、在高情報通知部１０ｂにより、そのトレイ毎の在高を在高情報Ｄ１として現金管理サーバ７０に通知している。在高情報Ｄ１は、現金管理サーバ７０からネットワーク端末装置８０に送られ、ディスプレイ８２に表示される。ネットワーク端末装置８０の操作者は、ディスプレイ８２に表示された在高情報Ｄ１から棒金の補充が必要なトレイ３０を表す集配情報Ｄ２を決定し、入力部８３を操作することでその集配情報Ｄ２をコンピュータ本体８１に入力し、その集配情報Ｄ２を現金管理サーバ７０を介して棒金両替機１０に通知する。
【００２７】
棒金両替機１０における棒金の補充は、ネットワーク端末装置８０の備えられる警備・警送会社に詰めた警送員の手によって行われる。すなわち、警送員は、ネットワーク端末装置８０に登録した集配情報Ｄ２で定められただけのトレイを店舗に運び、棒金両替機１０の作業内容出力部１０ｅから出力される作業内容に従って、その運んで来たトレイの中から所望のものを選択してトレイ単位で棒金両替機１０への交換を行う。上記作業内容は、作業開始時検出部１０ｃにより、警送員による集配作業の開始時が検出されたときに、作業内容決定部１０ｄにより、現金管理サーバ７０から通知される集配情報Ｄ２と、前記在高更新部１０ａにより更新されたトレイ毎の最新の在高とから決定される。この決定された作業内容を示す作業内容情報Ｄ３は作業内容出力部１０ｅにより外部に出力される。警送員は、その外部に出力された作業内容情報Ｄ３に従ってトレイ交換の作業、すなわち棒金の補充作業を行う。
【００２８】
棒金両替機１０は、ＣＰＵ、ＲＯＭ、ＲＡＭ等を備えた周知のマイクロコンピュータによって構成される制御ユニット（図示せず）を内部に備える。ＲＯＭには、両替処理や上述した包装硬貨補充処理を示す各種のコンピュータプログラムが予め格納されている。ＣＰＵは、ＲＡＭをワークエリアとして用いることにより上記コンピュータプログラムを実行する。同様に、現金管理サーバ７０、ネットワーク端末装置８０もＣＰＵ、ＲＯＭ、ＲＡＭ等を備えた周知のマイクロコンピュータを備え、ＣＰＵにより各種のコンピュータプログラムを実行する。この結果、棒金両替機１０、現金管理サーバ７０、ネットワーク端末装置８０は、それぞれのＣＰＵにより上記コンピュータプログラムを実行することによりソフトウェア的に、上記の各部１０ａ〜１０ｅ、８０ａの機能を実現する。なお、本実施例においてソフトウェア的に実現する機能はハードウェアによって実現するものとしてもよい。
【００２９】
図５は、棒金両替機１０のＣＰＵにより実行される両替処理を示すフローチャートである。この処理は、操作パネル１２により表示された操作メニューから両替を行う旨の指示が利用者によりなされたときに実行開始される。図示するように、処理が開始されると、ＣＰＵは、まず、図示しない紙幣入金部を動作させて、利用者により投入された紙幣を取り込む処理を行う（ステップＳ１１０）。次いで、ＣＰＵは、取り込んだ紙幣の金額と、別途、利用者により操作パネル１２から入力された両替したい希望金種とに基づいて、排出するトレイ台番号と払い出す棒金３２の本数とを決定する処理を行う（ステップＳ１２０）。棒金両替機１０のＲＡＭには、各トレイ台に、いずれの金種のトレイ３０が装填されているかを示す情報がトレイの交換時に記憶されている。この情報を用いて、上記排出するトレイ台番号の決定を行っている。
【００３０】
その後、ＣＰＵは、ステップＳ１２０で決定したトレイ台番号と払出本数とに基づいて、棒金取込部５０を動作させて、トレイ台番号のトレイ台４２に装填されるトレイ３０から、払出本数に従う本数の棒金３２を払い出す処理を行う（ステップＳ１３０）。
【００３１】
続いて、ＣＰＵは、在高一覧テーブルを更新する処理を行う（ステップＳ１４０）。在高一覧テーブルは、各トレイ台４２に装填されるトレイ３０に、どの金種の棒金３２が何本収納されているかを一覧にて示すテーブル形式のデータである。ステップＳ１３０で棒金３２の払い出しが行われた結果、各トレイ３０の収納本数に変動がある。ステップＳ１４０では、この変動が在高一覧テーブルに反映されるように更新を行っている。
【００３２】
図６は、在高一覧テーブルＴＢＬの一例を示す説明図である。図示するように、在高一覧テーブルＴＢＬは、「トレイ台番号」、「金種」、「本数」の３つの項目により１レコードが構成され、トレイ台４２の数ｎ（例えば、ｎ＝１２）だけのレコードが用意されている。各レコードの「トレイ台番号」の項目には、値１からｎ（＝１２）までの連番が格納されている。「金種」の項目には、該当するトレイ台番号のトレイ台４２に装填されたトレイ３０の金種が格納され、「本数」の項目には、該当するトレイ台番号のトレイ台４２に装填されたトレイ３０の本数が格納されている。
【００３３】
ステップＳ１４０では、詳細には、在高一覧テーブルＴＢＬにおけるステップＳ１２０で決定されたトレイ台番号に対応するレコードの「本数」の項目の値に対して、ステップＳ１２０で決定された排出本数を減算するようにして、在高一覧テーブルＴＢＬの更新を行う。なお、この際、トレイ３０が空の状態にあることを検出する第１の光学センサ４４により空の状態が検出されたときには、「本数」の項目の値は０としている。続いて、ＣＰＵは、在高一覧テーブルＴＢＬの内容を在高情報Ｄ１として現金管理サーバ７０に送信する（ステップＳ１５０）。その後、「リターン」に抜けてこの両替処理を一旦終了する。なお、ステップＳ１４０の処理が在高更新部１０ａ（図１）に対応し、ステップＳ１５０の処理が在高情報通知部１０ｂ（図１）に対応する。
【００３４】
在高一覧テーブルＴＢＬに記憶される「本数」の項目が値０であるときは、上述したように、第１の光学センサ４４により物理的に確実に空の状態が検出された場合である。一方、後述するようにしてトレイを交換したときにも、第２の光学センサ４６によりフルの状態が検出されるか否かを判断しており、「本数」の項目が最大値である場合にも物理的に確実に検出された事によるものとなっている。他方、「本数」の項目の値が０でも最大値でもない場合には、ステップＳ１４０に示すように、払い出しの指示に基づいて演算されたいわゆる論理的な検出によるものである。払い出しの指示に基づいて演算された論理的な検出では、棒金取込部５０が誤って１個取り込むところを複数取り込んだような場合に、実際の収納本数と演算した結果である本数との間で異同が生じることがあるが、物理的センサである第１または第２の光学センサ４４，４６によって空の状態またはフルの状態を検出するようにすれば、少なくとも「本数」の項目が値０であるときおよび最大値であるときは、実際の収納本数と一致させることができる。
【００３５】
図７は、棒金両替機１０、現金管理サーバ７０、ネットワーク端末装置８０のそれぞれで実行される処理とそれらの間でやりとりされる情報とを時間経過とともに示す説明図である。図示するように、棒金両替機１０は、前述した両替処理（図５）を、利用者による操作を受けて順に行う。ここでは、両替処理がＰ１〜Ｐ９の９回行われたものとする。各回の両替処理Ｐ１〜Ｐ９で、前述したように棒金両替機１０から現金管理サーバ７０に最新の在高を表す在高情報Ｄ１が通知される。なお、在高情報Ｄ１がいずれの回で通知されたものであるかを明瞭とするために、以下、在高情報（１）、在高情報（２）というように括弧書きの数字を付加して説明する。また、図中の破線で描いたブロックは処理ではなく、なんらかの情報を表す。
【００３６】
いま、第５回目の両替処理Ｐ５で、棒金両替機１０から現金管理サーバ７０へ在高情報（５）が通知されたとする。図８は、この在高情報（５）Ｄ１の内容を概念的に示す説明図である。図示するように、在高情報（５）Ｄ１は、棒金両替機１０の各トレイ台４２に装填されるトレイ３０毎に現在の収納本数が記憶されている。各トレイ３０には金種を示す情報が付与されている。図示の例では、説明を簡略化するために、金種が５００円と１００円であるトレイ台番号が１から６まで（図６参照）のトレイ３０と、リジェクトボックスとについてだけが示されている。図中の「トレイ１」から「トレイ６」は、トレイ台番号が１から６までの各トレイ台４２に収納されたトレイ３０を示している。
【００３７】
棒金両替機１０の棒金取込部５０には、取り込んだ金種を判別する金種判別センサ（図示せず）が設けられている。そうして指示されたトレイ３０から取り込んだ棒金３２が指示通りの金種であるか否かを、上記金種判別センサを用いてチェックしている。このチェックで実際に取り込んだ金種が指示通りの金種でない（ＮＧ）と判定された場合には、払い出しの前にそのＮＧと判定された棒金３２をリジェクトボックスに移送している。図８中の「ボックス」は、そのリジェクトボックスに収納される棒金の本数が示される。
【００３８】
図８に示した例では、５００円棒金のトレイ１は空、トレイ２は２／５繰出し済み、トレイ３はフル、１００円棒金のトレイ１は２／５繰出し済み、トレイ２、３はフル、リジェクトは発生していないということを示している。この図８は、以下の説明のために在高情報Ｄ１を概念的に示すものであり、実際は、在高一覧テーブルＴＢＬのデータが在高情報Ｄ１として送信される。なお、在高情報Ｄ１は、必ずしも在高一覧テーブルＴＢＬのような表形式のデータである必要はなく、各トレイの在高が判るようなデータであればどのようなデータであってもよい。また、この実施例では、両替処理が実行される毎に、全てのトレイ３０の在高を在高情報Ｄ１として棒金両替機１０から現金管理サーバ７０に通知する構成としていたが、これに換えて、１回の両替処理であった在高の変動情報だけを在高情報として棒金両替機１０から現金管理サーバ７０に通知し、現金管理サーバ７０側で全てのトレイ３０の在高を算出する構成としてもよい。いずれにしろ、棒金両替機１０で両替取引が行われる毎に、現金管理サーバ７０には、在高情報Ｄ１の通知を受けて、各トレイ３０にいずれの金種の棒金３２がどれだけ入っているかが記憶されることになる。
【００３９】
現金管理サーバ７０が在高情報（５）Ｄ１を受け取った時点で、ネットワーク端末装置８０で、現金の集配のための準備作業が実行される。ここでいう現金の集配とは、棒金両替機１０で紙幣を回収して棒金３２を補充する作業のことである。
【００４０】
図９は、ネットワーク端末装置（以下、単に「端末装置」と呼ぶ）８０のＣＰＵで実行される集配準備処理を示すフローチャートである。この処理は、集配準備を行なう旨の指示が操作者によって入力部８３からなされたときに実行開始される。図示するように、処理が開始されると、ＣＰＵは、まず、現金管理サーバ７０に各トレイ３０の在高情報Ｄ１の照会を要求する（ステップＳ２１０）。その要求を受けた現金管理サーバ７０は、端末装置８０に対して在高情報Ｄ１を通知することになる。端末装置８０のＣＰＵは、その通知された在高情報Ｄ１を受け取る（ステップＳ２２０）。
【００４１】
続いて、端末装置８０は、現金管理サーバ７０から送られてきた在高情報Ｄ１を、端末装置８０のディスプレイ８２に表示する（ステップＳ２３０）。具体的には、前述した図８と同様な絵柄にて各トレイ３０の在高（金種と収納本数）を表示する。なお、この表示は、一例であり、トレイ毎の在高が判るものであれば、どのような表示の態様とすることもできる。続いて、端末装置８０の操作者は、ディスプレイ８２の表示を見て、棒金３２の補充が必要なトレイ３０を表す集配情報Ｄ２を決定し、入力部８３を操作することでその集配情報Ｄ２をコンピュータ本体８１に入力（登録）する処理を行う（ステップＳ２４０）。
【００４２】
図１０は、ステップＳ２４０で登録された集配情報Ｄ２の一例を示す説明図である。図示するように、集配情報Ｄ２は、棒金両替機１０の各トレイ台４２に装填されるトレイ３０毎に補充の準備が必要であるか否かが記憶されている。図中のハッチングは、フルのトレイの準備が必要であることを示し、ハッチングなしの部分（「準備しない」と示された部分）は、補充の準備が必要でないことを示している。すなわち、図示の例では、トレイ１，２用として金種が５００円のトレイを２つ、トレイ４用として金種が１００円のトレイを１つ、それぞれ準備が必要であり、トレイ３，５，６用としてはトレイの準備は不要であることが示されている。図示の例は、図８に例示した在高情報（５）Ｄ１の内容を受けて、操作者によって登録されたものである。
【００４３】
すなわち、図８に示した在高情報（５）Ｓ１では「トレイ１」は空であることから、図１０の「トレイ１」のようにフルのトレイの準備をする。在高情報（５）Ｓ１では「トレイ２」は２／５繰出し済みであるから、図１０の「トレイ２」のようにフルのトレイを準備する。在高情報（５）Ｓ１では「トレイ３」は１本も繰り出されずフルの状態であるから、図１０の「トレイ３」のようにトレイの準備が必要でないとした。在高情報（５）Ｓ１では「トレイ４」は２／５繰出し済みであるから、図１０の「トレイ４」のようにフルのトレイの準備をする。在高情報（５）Ｓ１では「トレイ５」、「トレイ６」は１本も繰り出されずフルの状態であるから、図１０の「トレイ５」、「トレイ６」のようにトレイの準備が必要でないとした。
【００４４】
詳細には、ステップＳ２４０では、操作者は、各トレイにおいて１本でも繰り出しがあるか否かを判定して、１本でも繰り出しのあるものについては、フルの状態のトレイを準備し、１本も繰り出しのないものについてはフルの状態であることから、トレイの準備はしないと判断する。ステップＳ２４０では、操作者は、入力部８３を操作することにより、上記の判断結果を集配情報Ｄ２として、コンピュータ本体８１に登録する。
【００４５】
なお、この実施例では、ステップＳ２４０の処理は、操作者が判断した結果を入力部８３を操作して直接入力する構成であったが、これに換えて、ＣＰＵは、在高情報Ｄ１をディスプレイ８２に表示することなく、在高情報Ｄ１から自動的に集配情報Ｄ１を作成し記憶する構成としてもよい。すなわち、現金管理サーバ７０のＣＰＵは、在高情報Ｄ１から収納本数がフルの状態であるか否かを判定して、フルの状態でないトレイについては、フルの状態のトレイを準備し、フルの状態のトレイについてはトレイの準備はしないものと在高情報Ｄ１を定める構成とすればよい。上記収納本数がフルの状態であるか否かの判定は、金種毎にトレイに収納できる本数は定まっているから、金種から判定することができる。ステップＳ２４０の実行後、ＣＰＵは、集配情報Ｄ２を現金管理サーバ７０に通知する（ステップＳ２５０）。その後、「リターン」に抜けてこの集配準備処理を一旦終了する。なお、ステップＳ２４０およびＳ２５０の処理が集配情報通知部８０ａ（図１）に対応する。
【００４６】
なお、棒金両替機１０の棒金の補充を行う警送員は、上記登録した集配情報Ｄ２に従うトレイを棒金両替機１０の載置された店舗に運ぶことになる。
【００４７】
図７に戻って、端末装置８０では、前述した集配準備処理（図９）が実行される（Ｐ３１）。ここでは、前述したように、現金管理サーバ７０に対して各トレイ３０の在高情報（この時点では、在高情報（５））Ｄ１の照会を要求し、現金管理サーバ７０から送られてくる在高情報（５）Ｄ１に基づいて集配情報Ｄ２が登録される。この集配情報Ｄ２は、現金管理サーバ７０を介して棒金両替機１０に送られる。
【００４８】
棒金両替機１０では、両替処理が順次行われており、いま、第９回目の両替処理Ｐ９が実行されたところとする。第９回目の両替処理Ｐ９で得られた最新の在高情報（９）Ｄ１は、これまでと同様に現金管理サーバ７０に通知される。その後、棒金両替機１０は、警送員による集配作業の開始時であるか否かを判定する処理を行う（Ｐ１０）。具体的には、操作パネル１２により表示された操作メニューから集配作業を行う旨の指示が警送員によりなされたか否かから判定する。なお、警送員による指示に換えて、トレイ交換用扉２２に開閉スイッチを設け、トレイ交換用扉２２が開かれたときが開閉スイッチにより検出されたときを集配作業の開始時と判定する構成としてもよい。要は、警送員によって集配作業が開始されるときを検出することができればどのような構成に換えることもできる。また、ここでいう開始時とは、厳密にあるタイミングを指すものではなく、操作者によってこれからトレイの交換が実行されるという時であればよい。
【００４９】
Ｐ１０の判定処理において集配作業の開始時であると判定されたとき（すなわち、開始時が検出されたとき）には、棒金両替機１０は、現金管理サーバ７０から送られてきた集配情報Ｄ２と、直前の両替処理、すなわち第９回目の両替処理で得られた在高情報（９）とに基づいて、棒金３２を集配する作業内容を決定する作業内容決定処理を実行する（Ｐ１１）。
【００５０】
図１１は、在高情報（９）Ｄ１の内容を概念的に示す説明図である。図示するように、この時点の在高情報（９）Ｄ１は、５００円棒金のトレイ１は空、トレイ２は空、トレイ３は２／５繰出し済み、１００円棒金のトレイ１は空、トレイ２は２／５繰出し済み、トレイ３はフル、リジェクトボックスには金種不明金の収納があることが示されているものとする。上記作業内容決定処理においては、図１０で例示した集配情報Ｄ２に対して、図１１で例示した最新の在高情報（９）Ｄ１の内容を加味させることで、最適の集配の作業内容を決定している。図１０で例示した集配情報Ｄ２は、第５番目の在高情報（５）を基に作成されたものであり、現時点での在高とは異同が生じているためであり、この変化分を考慮するために上記作業内容決定処理を実行する。換言すれば、作業内容決定処理においては、集配情報Ｄ２を最新の在高でもって補正することで最適の集配の作業内容を決定している。
【００５１】
図１２は、作業内容決定処理により決定された作業内容を示す作業内容情報Ｄ３を概念的に示す説明図である。図示するように、作業内容情報Ｄ３は、各トレイ台４２に装填されるトレイ３０毎に補充が必要であるか否かが記憶されている。図中のハッチングは、フルのトレイが必要であることを示し、「トレイなし」と示された部分は、現在装填されているトレイを回収することが必要であることを示している。なお、ハッチングがある場合で何も記載されていない部分は、フルのトレイに交換する必要があることを示し、ハッチングがある場合で「未使用」と示された部分は、フルのトレイがそのまま残っていることからトレイ交換は不要であることを示している。図示の例では、トレイ１，２には、金種が５００円のフルのトレイをそれぞれ交換する必要があること、トレイ４には、金種が１００円のフルのトレイを交換する必要があること、トレイ３、５については回収の必要があること、トレイ６は何もしない（交換不要）ことが示されている。なお、リジェクトボックスは回収が必要であることが示されている。
【００５２】
この例は、前述したように、図１０で例示した集配情報Ｄ２と図１１で例示した在高情報（９）Ｄ１とに基づくものである。すなわち、図１０に示した集配情報Ｄ２では、「トレイ１」、「トレイ２」は５００円棒金３２のフルのトレイが用意されていることから、図１２に示すように作業内容情報Ｄ３では「トレイ１」、「トレイ２」はそのフルのトレイに交換する。集配情報Ｄ２では「トレイ３」はトレイの準備がなされていないにも拘わらず、図１１の在高情報（９）Ｄ１では「トレイ３」は棒金３２の繰り出しがあることから、図１２に示すように作業内容情報Ｄ３では「トレイ３」は回収する（トレイなし）。集配情報Ｄ２では「トレイ４」は１００円棒金３２のフルのトレイが用意されていることから、図１２に示すように作業内容情報Ｄ３では「トレイ４」はそのフルのトレイに交換する。集配情報Ｄ２では「トレイ５」はトレイの準備がなされていないにも拘わらず、図１１の在高情報（９）Ｄ１では「トレイ５」は棒金３２の繰り出しがあることから、図１２に示すように作業内容情報Ｄ３では「トレイ５」は回収する（トレイなし）。図１１の在高情報（９）Ｄ１では「トレイ６」はフルの状態（未使用の状態）であることから、図１２に示すように作業内容情報Ｄ３はなにもしないこと（未使用）が示される。
【００５３】
図７に戻って、棒金両替機１０は、上記作業内容決定処理Ｐ１１で決定された作業内容情報Ｄ３を明細票の形で印刷部１４（図１）から印刷する印刷処理を行う（Ｐ１２）。印刷部１４は、ロール紙を印刷媒体として印刷を行うものである。
【００５４】
図１３は、印刷処理Ｐ１２によって印刷された明細票ＰＰの一例を示す説明図である。図示するように、明細票ＰＰは、運搬指示を印刷する第１のフィールドＦＤ１と、回収装填指示を印刷する第２のフィールドＦＤ２とを備える。第１のフィールドＦＤ１には、警備・警送会社から持ち出すトレイが金種別に何個必要であるかが印字されている。第２のフィールドＦＤ２には、棒金両替機１０の備える複数のトレイ台４２の各々に対して、いずれの金種のトレイの装填（交換）が必要であるか、トレイの回収が必要であるか、あるいは未使用のためそのままでよいかが示されている。図１３の例示は、図１２に例示した作業内容情報Ｄ３に対応した内容となっている。なお、トレイ３０の装填が必要なトレイ台とトレイ３０の回収が必要なトレイ台との項目には、チェックボックスが印字されている。警送員は、トレイの装填あるいは回収が必要なトレイ台についてはチェックボックスをチェックすることにより、トレイ毎の作業完了の確認を行うことができる。
【００５５】
なお、上述した図７におけるＰ１０の集配作業開始時の判定処理が作業開始時検出部１０ｃ（図１）に対応し、Ｐ１１の作業内容決定処理が作業内容決定部１０ｄ（図１）に対応し、Ｐ１２の印刷処理が作業内容出力部１０ｅ（図１）に対応する。
【００５６】
４．作用・効果：
以上詳述したように本実施例の包装硬貨処理システム１によれば、棒金両替機１０におけるトレイ毎の最新の在高を示す在高情報Ｄ１が、現金管理サーバ７０を介して端末装置８０に通知される。端末装置８０は、その通知された在高情報Ｄ１から定まる集配情報Ｄ２を登録し、棒金両替機１０に通知する。棒金両替機１０は、作業者による集配作業の開始時が検出されたときに、前記集配情報Ｄ２と、その時点の最新のトレイ毎の在高とから、作業者によって実施する集配の作業内容をトレイ別に決定し、その決定された作業内容を示す作業内容情報Ｄ３を明細票ＰＰの形で印刷する。
【００５７】
このために、警送員は、警備・警送会社で棒金３２を準備する際に、その時点での最新の在高に応じて集配情報Ｄ２を決定することができる。さらに、警送員が警備・警送会社から店舗まで包装硬貨を運搬する際に、棒金両替機１０に備えられるトレイ毎の在高は変動しているが、棒金両替機１０においては、作業者により集配作業が開始された時点の最新の在高を前記集配情報Ｄ２に加味して集配の作業内容を決定している。
【００５８】
したがって、本実施例の包装硬貨処理システム１によれば、棒金３２を準備する時点で最適な棒金量を準備することができる。また、その準備した時点からの変動量を含む最新の在高に基づいて集配の作業内容を作業内容情報Ｄ３として作業者に対して指示することができることから、補充作業時における作業ミスの発生を防止するとともに作業性の向上を図ることができる。
【００５９】
また、本実施例では、作業内容情報Ｄ３を印刷するように構成されていることから、警送員は印刷された用紙を見て集配作業を行うことができることから、作業性により優れている。
【００６０】
さらに、本実施例では、端末装置８０において、在高情報Ｄ１から収納本数がフルの状態であるか否かを判定して、フルの状態でないトレイ３０については、フルの状態のトレイ３０を準備し、フルの状態のトレイ３０についてはトレイの準備はしないものと在高情報Ｄ１を定めている。その後、棒金両替機１０において、在高情報Ｄ１に変動があって、新たなトレイの準備がなされていないトレイ３０において棒金３２の繰り出しがあった場合には、その使用途中のトレイ３０を回収だけする。在高情報Ｄ１を構成する在高一覧テーブルＴＢＬに記憶される「本数」は、論理的な検出に基づくものであることから、実際の収納本数と相違する虞がある。これに対して、上述したようにトレイ３０の交換および回収を行うことで、棒金３２の補充完了時には、各トレイ３０の収納本数を必ずフルの状態とし、物理的な検出に基づく正確な「本数」の値とすることができる。したがって、収納本数の誤差を棒金３２の補充完了時に常にリセットすることができ、現金管理の精度を高めることができる。
【００６１】
５．他の実施形態：
本発明は上記した実施例や変形例に限られるものではなく、その要旨を逸脱しない範囲において以下に示すような種々の態様にて実施することが可能である。
【００６２】
（１）前記実施例では、作業内容出力部１０ｅとして作業内容情報Ｄ３を明細票ＰＰの形で印刷するように構成したが、これに換えて、作業内容情報Ｄ３を無線にて外部に出力するようにして、警送員が携帯している携帯端末にその作業内容情報を表示するようにしてもよい。また、上述した明細票ＰＰを印刷する構成に換えて、音声によってガイダンスする構成としてもよい。
【００６３】
（２）前記実施例では、現金管理サーバ７０と棒金両替機１０との間および現金管理サーバ７０とネットワーク端末装置８０との間をインターネットＶＰＮ９１で接続するように構成していたが、これに換えて、専用の回線にて両者を接続する構成としてもよい。また、棒金両替機１０とネットワーク端末装置８０との間を接続して、棒金両替機１０とネットワーク端末装置８０との間で直接情報のやり取りを行う構成としてもよい。
【００６４】
（３）前記実施例では、現金管理装置を現金管理サーバ７０とネットワーク端末装置８０とにより構成していたが、これに換えて、現金管理装置を一つのコンピュータ装置により構成してもよい。
【図面の簡単な説明】
【００６５】
【図１】本発明の一実施例としての包装硬貨処理システム１の全体構成を示す説明図である。
【図２】棒金両替機１０の概略構成図である。
【図３】トレイ３０の外観を示す斜視図である。
【図４】ワゴン部４０に装填された各トレイ３０に収容された金種の一例を示す説明図である。
【図５】棒金両替機１０のＣＰＵにより実行される両替処理を示すフローチャートである。
【図６】在高一覧テーブルＴＢＬの一例を示す説明図である。
【図７】棒金両替機１０、現金管理サーバ７０、ネットワーク端末装置８０のそれぞれで実行される処理とそれらの間でやりとりされる情報とを時間経過とともに示す説明図である。
【図８】在高情報（５）Ｄ１の内容を概念的に示す説明図である。
【図９】ネットワーク端末装置８０のＣＰＵで実行される集配準備処理を示すフローチャートである。
【図１０】ステップＳ２４０で登録された集配情報Ｄ２の一例を示す説明図である。
【図１１】在高情報（９）Ｄ１の内容を概念的に示す説明図である。
【図１２】作業内容決定処理により決定された作業内容情報Ｄ３を概念的に示す説明図である。
【図１３】印刷処理Ｐ１２によって印刷された明細票ＰＰの一例を示す説明図である。
【符号の説明】
【００６６】
１…包装硬貨処理システム
２…トレイ
３…トレイ
４…トレイ
１０…棒金両替機
１０ａ…在高更新部
１０ｂ…在高情報通知部
１０ｃ…作業開始時検出部
１０ｄ…作業内容決定部
１０ｅ…作業内容出力部
１２…操作パネル
１４…印刷部
２０…筺体
２２…トレイ交換用扉
２６…払出口
２８…シャッタ
３０…トレイ
３２…棒金
３４…棒金取出口
４０…ワゴン部
４２…トレイ台
４４…第１の光学センサ
４６…第２の光学センサ
５０…棒金取込部
５２…アーム部
５４…収容部
７０…現金管理サーバ
８０…ネットワーク端末装置
８０ａ…集配情報通知部
８１…コンピュータ本体
８２…ディスプレイ
８３…入力部
９１…インターネットＶＰＮ
９３…インターネットＶＰＮ
Ｄ１…在高情報
Ｄ２…集配情報
Ｄ３…作業内容情報
ＰＰ…明細票
ＴＢＬ…在高一覧テーブル
【図１】
2008191835.tif 000003
【図２】
2008191835.tif 000004
【図３】
2008191835.tif 000005
【図４】
2008191835.tif 000006
【図５】
2008191835.tif 000007
【図６】
2008191835.tif 000008
【図７】
2008191835.tif 000009
【図８】
2008191835.tif 000010
【図９】
2008191835.tif 000011
【図１０】
2008191835.tif 000012
【図１１】
2008191835.tif 000013
【図１２】
2008191835.tif 000014
【図１３】
2008191835.tif 000015